(57)【要約】【課題】  ガス充填容器全体の消毒・殺菌を確実に行うことができるとともに、その容器の搬入・搬出・輸送のいずれの操作においても、汚染の拡大を生じることなく、安全性が高く、操作性に優れたガス充填容器の殺菌装置およびその殺菌方法を提供すること。【解決手段】  少なくとも１つガス充填容器Ｂの固定手段２と、該固定手段２の外周部に全周照射可能に配設された複数の紫外線照射手段４ａ，４ｂ・・と、これらを収納し内面全体が鏡面処理された収納手段３とを有することを特徴とする。【選択図】  図１
2009058008.tif 000002
【特許請求の範囲】
【請求項１】
少なくとも１つガス充填容器の固定手段と、該固定手段の外周部に全周照射可能に配設された複数の紫外線照射手段と、これらを収納し内面全体が鏡面処理された収納手段とを有することを特徴とするガス充填容器の殺菌装置。
【請求項２】
前記収納手段の４つの内側面が交互に直交して交線を形成するとともに、
前記紫外線照射手段と特定のガス充填容器との平面配置関係において、
（ａ）近接する２つの紫外線照射手段を結ぶ直線、
（ｂ）特定の紫外線照射手段と、これに近接する鏡面によって形成される仮想の紫外線照射手段を結ぶ直線、
（ｃ）前記交線とこれに近接する紫外線照射手段を該交線と直交するように結ぶ直線、
（ｄ）特定の紫外線照射手段と、前記ガス充填容器の外周によって形成される接線、
のいずれかであって、かついずれのガス充填容器あるいは鏡面によって形成される仮想のガス充填容器にも交差しない直線または接線、
によって形成された閉空間の内部に、前記ガス充填容器が配設されることを特徴とする請求項１記載のガス充填容器の殺菌装置。
【請求項３】
前記固定手段がキャスター付の移動可能な構造体であって、前記収納手段からスライドして搬入・搬出可能であることを特徴とする請求項１または２記載のガス充填容器の殺菌装置。
【請求項４】
前記収納手段が、その内部にオゾン吸収剤もしくはオゾン分解器を配設すること、またはその内部を清浄気体によってパージする機能を有することを特徴とする請求項１〜３のいずれかに記載のガス充填容器の殺菌装置。
【請求項５】
収納手段内に固定された少なくとも１つガス充填容器に対し、その外周部に全周照射可能に配設された複数の紫外線照射手段から直接的に紫外線が照射されるとともに、該収納手段の内面から反射された紫外線が間接的に照射され、該ガス充填容器の全外面の殺菌処理を行うことを特徴とするガス充填容器の殺菌方法。
【請求項６】
前記収納手段の開閉に対応する接点を設け、該接点の動作によって前記紫外線照射手段のＯＮ−ＯＦＦを制御することを特徴とする請求項５記載のガス充填容器の殺菌方法。
【請求項７】
前記接点の動作によって、前記収納手段の内部を換気することを特徴とする請求項５または６記載のガス充填容器の殺菌方法。
【発明の詳細な説明】
【技術分野】
【０００１】
本発明は、ガス充填容器の殺菌装置およびその殺菌方法に関するもので、例えば、医療用ガス容器などの輸送・保管にも使用するガス充填容器の殺菌装置およびその殺菌方法に関するものである。
【背景技術】
【０００２】
現在、病院を始め医療機関においては、吸入用酸素（Ｏ２）や笑気ガス（Ｎ２Ｏ）等の高圧ガスが多く使用されている。こうしたガスは、高圧ガス容器に充填され、通常専門業者によって搬入されて特定の保管場所に配設されるとともに、定期的にあるいは所定期間後に交換されて専門業者によって搬出される。このとき、高圧ガス容器の表面に細菌が付着しているおそれがあることから、消毒処理や殺菌処理を行う必要があり、従前より、種々の消毒・殺菌方法あるいは消毒・殺菌設備が用いられ、例えば、消毒液を使用し吹き付けまたは拭取りをする方法などが多く実施されてきた。
【０００３】
消毒・殺菌設備についても、図６に示すようなボンベ消毒機能付充填装置が提案されている。ガスの充填と同時にボンベの消毒を行うことができ、充填中のボンベを冷却することも可能な装置を目的とし、ボンベ充填装置におけるボンベ設置部に、ボンベの表面を消毒するための消毒剤を噴出する消毒剤噴出部を設けたことを特徴とする。具体的には、ボンベにガスを充填するためのガス充填配管（図示せず）、ボンベ１１を設置するボンベ設置部１２等の充填用機器を備えたボンベ充填装置において、前記ボンベ設置部１２に、ボンベ１１の表面を消毒するための消毒剤を噴出する消毒剤噴出孔３４を有する消毒剤噴出部が設けられている。ここで、１６は胴受部、１７は頭受部、１８は容器弁、２１は充填枝管、２２は充填金具、３３は消毒剤供給管、３５は受け皿、３６は樋を表す（例えば特許文献１参照）。
【０００４】
【特許文献１】特開２００１−２４８７９６号公報
【発明の開示】
【発明が解決しようとする課題】
【０００５】
しかし、上記のような消毒・殺菌方法あるいは消毒・殺菌設備では、以下の課題が生じることがあった。
（ｉ）液体噴霧による消毒・殺菌処理においては、設置条件に制限があることから、ガス充填容器の設置場所とは異なる特定の場所に消毒・殺菌設備を設ける必要があり、かつ流通段階での汚染に対しては全く対応ができないという欠点があった。つまり、消毒・殺菌処理が、病院から持ち帰った容器にガスを再充填する専門業者の充填工場で実施される方法であるため、病院からの容器輸送途上は実施できず、環境汚染のリスクは免れない。上記の消毒機能付充填装置においては、製品を充填する際の汚染防止が主目的であり、固定した設備として使用し、流通段階での連続した消毒ができるものがなかった。しかし、容器外表面が汚染される場所は主に病院や救急搬送中のベッドに固定した容器であり、再充填のために流通する段階では消毒・殺菌は行われていないのが実情である。また、病院等から搬出された後、運搬車両内においては他の容器と分けることなく輸送される場合が多く、汚染拡大のリスクは免れない。さらに、こうした消毒・殺菌設備においては、設備そのものの数は少数で済む長所があるが、廃液、廃物等の処理に費用がかかり、経済的な課題が大きい。
【０００６】
（ii）噴霧による消毒の場合、均一に消毒液が行き届かない場合がある、例えば、オイル等の付着により水分をはじくとその部分は消毒できない。また、ガス充填容器にごみが付着していた場合、ごみで隠れた部分の消毒が不十分になる場合もある。一方、充填口に消毒液が付着した場合、製品に混入するおそれもある。
【０００７】
（iii）消毒液の毒性及び使用後の消毒液の処理等二次汚染のリスクや処理設備の費用がかさむ等の問題がある。つまり、消毒液自体が毒性を持つことから、消毒後消毒液の洗浄や乾燥を必要とする等の消毒行程以外の作業が必要となる。二次的な問題として、運転手が輸送時にアルコールで消毒した場合、運転にも問題が出る場合がある。また、この消毒液にはアルコール（危険物）を使用する場合があるが、高圧ガスの酸素を扱う場合、アルコールは一緒に取り扱うと危険な物質であり、安全性を確保するための処理あるいは設備を必要とする。さらに、廃液及び廃物が発生し適切な処置が必要となり、設備規模については、回収装置も含めて大規模な設備となる。
【０００８】
（iｖ）一方、消毒液によらない消毒・殺菌装置として、紫外線を利用した装置もあるが、軽量な製品の消毒を目的とし、液体での消毒が不適当な物に対する対策として考案されており、重量物である金属製容器には適していなかった。また、紫外線を利用した容器の殺菌においても、医薬品の包装材料や製品を入れる容器は一回のみの使用が一般的であり、製品充填直前の殺菌に対するものである。医療用ガスの高圧に耐える金属製容器のように繰り返し使用する容器に対しては、従前実用化が困難であり、流通する容器に対しては、外表面が汚染された場合、充填場に戻ってくる間、何の処置もされないことになる。
【０００９】
本発明の目的は、ガス充填容器全体の消毒・殺菌を確実に行うことができるとともに、その容器の搬入・搬出・輸送のいずれの操作においても、汚染の拡大を生じることなく、安全性が高く、操作性に優れたガス充填容器の殺菌装置およびその殺菌方法を提供することにある。特に、簡便な構成により、輸送中での殺菌も可能なコンパクトなガス充填容器の殺菌装置が好ましい。
【課題を解決するための手段】
【００１０】
本発明者らは、上記課題を解決するために鋭意研究を重ねた結果、以下に示すガス充填容器の殺菌装置およびその殺菌方法によって上記目的を達成できることを見出し、本発明を完成するに到った。
【００１１】
本発明は、ガス充填容器の殺菌装置であって、少なくとも１つガス充填容器の固定手段と、該固定手段の外周部に全周照射可能に配設された複数の紫外線照射手段と、これらを収納し内面全体が鏡面処理された収納手段とを有することを特徴とする。
【００１２】
また、本発明は、ガス充填容器の殺菌方法であって、収納手段内に固定された少なくとも１つガス充填容器に対し、その外周部に全周照射可能に配設された複数の紫外線照射手段から直接的に紫外線が照射されるとともに、該収納手段の内面から反射された紫外線が間接的に照射され、該ガス充填容器の全外面の殺菌処理を行うことを特徴とする。
【００１３】
医療機関等で用いられるガス充填容器については、その容器の搬入・搬出・輸送のいずれの操作においても、その容器自体の汚染の防止を図るとともに、他への汚染の拡大を防止することが重要である。一方、一般に細菌を形成するＤＮＡ（デオシリボ核酸）は紫外領域に強い吸収帯を有するとともに、紫外線の殺菌効果のある波長領域と非常に類似していることが知られている。本発明は、従前ドライ処理が困難であったガス充填容器に対して、こうした紫外線の殺菌機能をより効果的に利用できる方法を提案するもので、ガス充填容器という比較的大きく重量があって特殊な形状部を有する被処理物に対して、紫外線照射手段からの直接的な照射だけではなく、間接的にも照射することができる構成によって、容器全体を確実に紫外線照射することを可能とした。
【００１４】
具体的には、間接的な照射手段として収納手段の内面全体を鏡面処理し、紫外線照射手段の配置と反射面の効果的な利用によって、最小限の数量の紫外線照射手段で容器全体を確実に紫外線照射することを可能とした。つまり、各紫外線照射手段からガス充填容器に対して直接的に照射される紫外線照射領域に加え、前記鏡面による反射機能を利用して間接的に照射される紫外線照射領域を形成するとともに、両者が重複する紫外線領域にガス充填容器が配設されるように紫外線照射手段を配設することによって、ガス充填容器に対して全外面に紫外線を照射することができる。
【００１５】
こうした機能を有するガス充填容器の殺菌装置およびその殺菌方法によって、
（ｉ）ウエットの拭取り方法では、処理し難くかつ病原菌の付着し易い菊型バルブの溝、裏側、あるいはねじ部の谷の部分等の表面まで消毒・殺菌が可能となり、
（ii）消毒液を使用しないため、安全性が高くまた消毒液の処理設備を必要とせず、さらに使用現場直近に設置が可能になるために、長距離の配管などの付帯設備や施工が不要となり、
（iii）無人での殺菌処理が可能であり、輸送時及び使用場所での保管時にも継続して殺菌が可能となり、二次的汚染を防止することができる。特に、輸送途上の殺菌処理により、病院などの医療機関から外界への細菌汚染リスクをなくすることができる、
（iｖ）鏡面反射を利用することによって、収納されるガス充填容器の数量に対応した最小限の数量で、かつ最も近接した状態で、紫外線照射手段を配置することが可能となり、装置のコンパクト化をはかることができる、
という優れたガス充填容器の殺菌装置およびその殺菌方法を提供することが可能となった。
【００１６】
本発明は、上記ガス充填容器の殺菌装置であって、前記収納手段の４つの内側面が交互に直交して交線を形成するとともに、
前記紫外線照射手段と特定のガス充填容器との平面配置関係において、
（ａ）近接するする２つの紫外線照射手段を結ぶ直線、
（ｂ）特定の紫外線照射手段と、これに近接する鏡面によって形成される仮想の紫外線照射手段を結ぶ直線、
（ｃ）前記交線とこれに近接する紫外線照射手段を該交線と直交するように結ぶ直線、
（ｄ）特定の紫外線照射手段と、前記ガス充填容器の外周によって形成される接線、
のいずれかであって、かついずれのガス充填容器あるいは鏡面によって形成される仮想のガス充填容器にも交差しない直線または接線、
によって形成された閉空間の内部に、前記ガス充填容器が配設されることを特徴とする。
【００１７】
上記のように、紫外線による殺菌機能は、被殺菌部に直接紫外線照射手段からの紫外線が照射される場合以外に、鏡面反射によって間接的に照射される場合も有効である。しかしながら、鏡面反射の回数が多いあるいは紫外線照射手段からの距離が長くなれば、それだけ紫外線の拡散によって、被殺菌部に対する照射密度が減衰する。本発明者は、検証において、紫外線による殺菌機能を確保するには、照射される紫外線が鏡面反射回数を１回とし、いずれのガス充填容器（鏡面反射を利用した紫外線については鏡面によって形成される仮想のガス充填容器を含む）にも交差しないことが好ましいことを見出した。また、複数のガス充填容器を収容する本発明に係る殺菌装置においては、ガス充填容器の全周面にこうした紫外線を照射させるには、鏡面を構成する収納手段の４つの内側面が交互に直交することが好ましく、かつ実存のガス充填容器および紫外線照射手段と、鏡面によって形成される仮想のガス充填容器および仮想の紫外線照射手段との配置関係を規定することが好ましいことを見出した。
【００１８】
具体的には、（ａ）近接する２つの紫外線照射手段を結ぶ直線、（ｂ）特定の紫外線照射手段とこれに近接する鏡面によって形成される仮想の紫外線照射手段を結ぶ直線、（ｃ）前記交線とこれに近接する紫外線照射手段を該交線と直交するように結ぶ直線、（ｄ）特定の紫外線照射手段と、前記ガス充填容器の外周によって形成される接線、のいずれかであって、かついずれのガス充填容器あるいは鏡面によって形成される仮想のガス充填容器にも交差しない直線または接線、によって形成された閉空間の内部に、前記ガス充填容器が配設されることによって、多くとも１回の鏡面反射された紫外線を含む紫外線を、ガス充填容器の全周面に照射させることができる。こうした殺菌機能を確保した状態で、鏡面の反射機能を有効に活かすことによって、最小数量の紫外線照射手段を用いて優れたガス充填容器の殺菌装置を構成することが可能となった。
【００１９】
本発明は、上記ガス充填容器の殺菌装置であって、前記固定手段がキャスター付の移動可能な構造体であって、前記収納手段からスライドして搬入・搬出可能であることを特徴とする。
【００２０】
医療機関に限らずガス充填容器の保守交換は、不定期で個別的であることが多く、輸送中に他の容器と混在した場合には汚染拡大のおそれがある。一方、少数のガス充填容器が収納された殺菌装置であっても、装置そのものの移動は、装置自体の汚染防止処理を必要とし、コスト面においても負荷が大きい。そこで、本発明は、医療機関等に殺菌装置を設置するとともに運搬車にも殺菌装置を設置し、医療機関等にある殺菌装置の収納手段からスライドして搬入・搬出可能なキャスター付の固定手段を用いてガス充填容器を移動し、運搬車の殺菌装置に搬入することによって、輸送時の時間を利用して消毒・殺菌が可能となり、汚染の拡散防止にも繋がる。また、医療機関等で消毒・殺菌されなかった容器であっても、輸送時の時間を利用して消毒・殺菌が可能となる。
【００２１】
本発明は、上記ガス充填容器の殺菌装置であって、前記収納手段が、その内部にオゾン吸収剤もしくはオゾン分解器を配設すること、またはその内部を清浄気体によってパージする機能を有することを特徴とする。
【００２２】
一般に紫外線照射手段を使用した場合、その線源近くに酸素が存在していれば、その一部が反応してオゾンが発生する。オゾンは、直接医療現場に設置されることは少ないが、強酸化能力を有する有害物質であり、殺菌装置が設置された環境に対して悪影響を及ぼさないように防止処理をすることが好ましい。このとき、殺菌装置の収容手段のシール性を上げる方法があるが、大きなガス充填容器の出し入れができる収容手段のシールは困難性が高い。本発明は、こうした方法に代えあるいはこれと合せて、収納手段の内部にオゾン吸収剤もしくはオゾン分解器を配設すること、またはその内部を清浄気体によってパージする機能を有することによって、環境に対する悪影響を未然に防止することができる。
【００２３】
本発明は、上記ガス充填容器の殺菌方法であって、前記収納手段の開閉に対応する接点を設け、該接点の動作によって前記紫外線照射手段のＯＮ−ＯＦＦを制御することを特徴とする。
【００２４】
殺菌装置は、例えばガス充填容器の保守交換など特別な場合でなければ、収容手段を開放することはない。しかしながら、人為的なミスを含め、稼働中の殺菌装置においては紫外線照射手段が収納手段の内部全体に照射されていることから、万が一この状態で開放された場合には、特に目に対して影響が大きく疾患に繋がる可能性がある。本発明は、収納手段の開閉に対応する接点を設け、該接点の動作によって紫外線照射手段のＯＮ−ＯＦＦを制御することによって、こうした不測の事態を未然に防止し、安全性の向上を図ることができる。
【００２５】
本発明は、上記ガス充填容器の殺菌方法であって、前記接点の動作によって、前記収納手段の内部を換気することを特徴とする。
【００２６】
上記のように、紫外線照射手段を用いた殺菌装置においては、その内部を清浄気体によってパージする機能を有することが好ましく、これによって、環境に対する悪影響を未然に防止することができる。本発明は、さらにこれを自動的に機能させるものであって、収納手段の開閉に対応する接点の動作に応じて、パージ機能のＯＮ−ＯＦＦを制御することによって、不測の事態を未然に防止し、さらなる安全性の向上を図ることができる。
【発明の効果】
【００２７】
以上のように、本発明によれば、紫外線照射手段の安全性の高い殺菌機能と収納手段の反射機能を効果的に組合せることによって、最小限の紫外線照射手段でガス充填容器の外表面全体をむらなく殺菌することができ、特別な処理設備を必要とせずに搬入・搬出・輸送のいずれの操作においても殺菌処理が可能となり、汚染の拡大を生じることなく、安全性が高く、操作性に優れたガス充填容器の殺菌装置およびその殺菌方法を提供することが可能となった。
【発明を実施するための最良の形態】
【００２８】
以下、本発明の実施の形態について、図面を参照しながら説明する。本発明に係るガス充填容器の殺菌装置（以下「本装置」という）は、少なくとも１つガス充填容器（以下「容器」という）の固定手段と、該固定手段の外周部に着脱可能に配設された、複数の全周照射可能な紫外線照射手段と、これらを収納し内面全体が鏡面処理された収納手段とを有することによって、優れた殺菌機能を有することを特徴とする。
【００２９】
図１（Ａ）および（Ｂ）は、本装置を例示する概略図である。本装置は、酸素などが充填された５本の容器Ｂ１〜Ｂ５が、固定具２（固定手段に相当）によって保持された状態で固定され、収納具３（収納手段に相当）の内部に配設される。収納具３の各側面３ａ〜３ｄには、それぞれ紫外線ランプ４ａ〜４ｄ（紫外線照射手段に相当。以下「ランプ４ａ〜４ｄ」という）が配置される。ここで、収納具３の底面３ｅ，側面３ａ〜３ｄおよび上面３ｆの内面には、鏡面処理がされている。詳細は後述する。
【００３０】
５本の容器Ｂ１〜Ｂ５は、図１（Ｂ）に示すように等間隔に配設され、４つのランプ４ａ〜４ｄからの紫外線および収納具３の各側面３ａ〜３ｄで反射された紫外線によって、容器Ｂ１〜Ｂ５の側面全体が照射されるとともに、図１（Ａ）に示すように収納具３の上面３ｆ（図１（Ａ）では開放状態を示しているが、稼動時は蓋閉状態となる。）で反射された紫外線によって、容器Ｂ１〜Ｂ５の頭頂部Ｂ１ａ〜Ｂ５ａが照射される。また、固定具２の底部２ａは、収納具３の底部３ａとは直接接することはなく、収納具３の底面３ｅによって反射された紫外線が、容器Ｂ１〜Ｂ５の底面（図示せず）に照射できる状態となっている。
【００３１】
一般に医療用ガスとしては、表１に示すよう種々のガスを挙げることができる（日本医療ガス協会資料）。こうしたガスが、容器Ｂ１〜Ｂ５に充填され医療機関等に搬入・搬出される。
【表１】
2009058008.tif 000003
【００３２】
容器Ｂ１〜Ｂ５の大きさは、医療機関等の規模に依存するが、本発明においては、数〜数１０Ｌ程度の小型容器あるいは中型容器として数１０〜１００Ｌ規模の耐圧容器が挙げられる。具体的には、例えば二酸化炭素の場合、内容積４７Ｌの容器の内部圧力を約０．１〜０．１５ＭＰａＧ、液温度約１３〜２５℃の液化ガスが充填された容器となる。
【００３３】
固定具２は、図１（Ｂ）に示すように、１つの収納具３に対して同一形態の複数の固定具２を配設することが好ましい。容器Ｂ１〜Ｂ５に対して、固定具２の底部２ａ，下側部ガイド２ｂ，中側部ガイド２ｃおよび上側部ガイド２ｄによって保持することによって、安定的に固定することができる。ただし、容器Ｂ１〜Ｂ５の容量に対応した数種類の固定具２を配設することも可能である。底部２ａ，ガイド２ｂ〜２ｄを、容器Ｂ１〜Ｂ５のサイズ（直径）に合わせて自由に交換できるアダプターとすることによって、容器Ｂ１〜Ｂ５のサイズに応じて堅固に保持することができる。また、固定具２は、底部２ａにキャスター（図示せず）を付加し、移動可能な構造とすることが好ましい。収納具３からスライドして運搬車に搬入・搬出することができる。このとき、１つの容器ごとに移動可能な構成や、複数の容器を同時に移動できるように一体化した構成をとることが可能である。
【００３４】
ランプ４ａ〜４ｄは、紫外線を放射する低圧水銀ランプを用いている。これに代えて、中圧水銀ランプやキセノンランプなども使用可能であるが、上述のようなＤＮＡの紫外吸収領域と殺菌機能が高い紫外領域は２４０〜２８０ｎｍで重なり、２５４ｎｍに大きなピークがある分光エネルギー特性を有する低圧水銀ランプは、熱密度が高く、非常に好適である。また、応答性に優れ、容器Ｂ１〜Ｂ５の高さに応じた長さや形状の製作も容易で、容器Ｂ１〜Ｂ５全体を効率よく照射することができる点においても優れている。さらに、各種の微生物を殺菌するためには、数〜数１０ｍＷ・ｓｅｃ／ｃｍ２の線量が必要とされ（岩崎電気技術資料＜紫外線殺菌＞参照）、低圧水銀ランプはこうした線量を長期に確保することが可能である点においても優れている。
【００３５】
ランプ４ａ〜４ｄは、スイッチＯＮ／ＯＦＦとほぼ同時に紫外線が照射される。ランプ４ａ〜４ｄは、長円筒形状で側面全周から紫外線を照射するタイプが好ましく、中型の容器のように縦方向に長い場合には、必要に応じて複数のランプを直列に配置して容器全体を照射することも可能である。また、ランプ４ａ〜４ｄは、図１（Ｂ）では収納具３の各側面３ａ〜３ｄに配設されているが、その最適な配置の詳細については、後述する。
【００３６】
ランプは、所定容量の本数を任意に設置可能であるため、本数ならびに出力を任意にコントロールすることによりきめ細かい照射条件を制御することが可能となる。例えば、複数のランプを固定的に配置し、使用する固定手段に対応したランプのみを点燈させることによって、エネルギー効率の高い使用方法とすることができる。また、着脱可能なランプを用いることによって、固定される容器の数量に対応した、より適切なランプの配置と反射面の効果的な利用が可能である。
【００３７】
収納具３は、複数の容器Ｂ１〜Ｂ５を収容するとともに、ランプ４ａ〜４ｄを配設して紫外線照射による殺菌処理を行うもので、内面を鏡面処理したことを特徴とする。鏡面反射によって、各容器Ｂ１〜Ｂ５の頭頂部Ｂ１ａ〜Ｂ５ａおよび底面（図示せず）を含む全外面に紫外線を照射することができる。また、複数の容器Ｂ１〜Ｂ５を収容する本装置においては、容器Ｂ１〜Ｂ５の全周面にこうした紫外線を照射させるには、鏡面を構成する収納具３の４つの内側面３ａ〜３ｄが交互に直交することが好ましいことを見出した。ここで、上面３ｆおよび側面３ａ〜３ｄを開閉可能な構造として、容器Ｂ１〜Ｂ５を個別に操作、取出し可能とすることが好ましい。また、図１（Ａ）に示すように、底面３ｅにキャスター３ｇを設けて収納具３全体を移動可能とすることができるとともに、固定式として上記のように固定２を移動可能とすること、あるいは両方を移動可能とすることもできる。
【００３８】
収納具３の内面３ａ〜３ｆの鏡面処理は、内面３ａ〜３ｆ全体を覆うように反射板を配設することや、内面側に反射膜をコーティングした面状体によって収納具３の上下面３ｅと３ｆおよび側面３ａ〜３ｄを構成することにより形成することができる。反射板は、紫外線を反射するものであれば、特に限定されるものではないが、金属あるいは樹脂などの部材の表面に金やアルミニウムなどの反射機能の高い薄膜を形成したものを用いることができる。あるいはアルミニウムや銅などの金属表面を鏡面加工することによって、鏡面処理に代えることも可能である。
【００３９】
ここで、収納具３は、その内部にオゾン吸収剤もしくはオゾン分解器を配設すること、またはその内部を清浄気体によってパージする機能を有することが好ましい。例えば、図２に示すように、ファン等の換気機能を有しオゾン吸収剤もしくはオゾン分解器を内蔵した浄化ユニット５を上面３ｆに設けることによって、収納具３の内部に発生したオゾンを処理して、設置環境に対する悪影響のない殺菌装置を構成することができる。つまり、ランプ４ａ〜４ｄの点燈強度によっては、その周辺の空気中の酸素をオゾン化されることから、オゾンの漏洩を未然防止するために、浄化ユニット５を駆動させ、底面３ｅあるいは側面３ａ〜３ｄから外気を吸引して内部を換気するとともに、内気に含まれるオゾンを吸収あるいは分解して除去するものである。オゾン吸収剤としては活性炭や活性アルミナなどを用いることができ、オゾン分解器としては、マンガン系やチタニア系あるいは銅系などの触媒が担持されたセラッミクスなどを用いることができる。これらによって、低温・低電力での処理が可能となる。
【００４０】
また、上面３ｆおよび側面３ａ〜３ｄを開閉可能な構造とする場合、図２に例示するように、開閉に対応する接点６を設け、接点６の動作によってランプ４ａ〜４ｆのＯＮ−ＯＦＦを制御することが好ましい。例えば容器Ｂ１〜Ｂ６の保守交換など特別な場合でなければ、収納具３を開放することはない。しかしながら、人為的なミスを含め、紫外線が収納具３の外部へ漏洩する可能性があれば自動的にランプ４ａ〜４ｆをＯＦＦとし、また、こうした状態で始動してもランプ４ａ〜４ｆが点燈しない状態とすることによって、稼働中の不測の事態を未然に防止し安全性の向上を図ることができる。
【００４１】
さらに、接点６の動作によって、収納具３の内部を換気することが好ましい。つまり、収納具３が密閉状態となり、稼動可能となった時点で、換気機能を稼動させ、その後速やかに、ランプ４ａ〜４ｆの点燈を開始する。稼働中に収納具３が密閉状態となった場合には、速やかにランプ４ａ〜４ｆを消灯し、さらにしばらく換気機能を稼動させた状態を維持した後にＯＦＦとすることによって、不測の事態を未然に防止し、さらなる安全性の向上を図ることができる。
【００４２】
また、固定具２をスライド式にして医療機関等に収納具３を設置するとともに、運搬車にも同様の収納具３を設置することによって、輸送時の時間を利用して消毒・殺菌が可能となり、汚染の拡散防止を図ることが可能となる。また、医療機関等で消毒・殺菌されなかった容器であっても、輸送時の時間を利用して消毒・殺菌が可能となる。
【００４３】
＜本装置における殺菌方法＞
本装置は、以上のような機能を用いて、収納手段内に固定された少なくとも１つガス充填容器に対し、その外周部に全周照射可能に配設された複数の紫外線照射手段から直接的に紫外線が照射されるとともに、該収納手段の内面から反射された紫外線が間接的に照射され、該ガス充填容器の全外面の殺菌処理を行うことを特徴とする殺菌方法によって、処理される。
【００４４】
このとき、以下のプロセスを、タイマー等を配備して常時あるいは定時に行うことによって、適切な消毒時間を確保しつつ過度の処理を防止することが可能となる。なお、ここでは、図２の装置に基づき説明するが、各手順および機能を含めこれに限定されるものではない。また、送気されたガスを消費する設備等については触れない。
【００４５】
〔本装置の設置〕
医療機関等に初めて本装置の設置する場合であって、既設については不要である。
（１）収納具３を固定し、上面３ｆおよび側面３ｃを開とする。
（２）容器Ｂ１〜Ｂ６を設置した固定具２を収納具３に、搬入しセットする。このとき、予めランプ４ａ〜４ｅは固定具２または／および収納具３に配設しておく。
（３）容器Ｂ１〜Ｂ６に口金部（図示せず）を接続する。口金部は、バルブ、減圧弁および送気用配管（図示せず）を介してガス消費設備に繋がる。
【００４６】
〔本装置の稼動〕
容器Ｂ１〜Ｂ６の交換後においても同様の状態から開始する。
（４）収納具３を閉状態にする。同時に接点６が作動し内部の換気が始まる。
（５）ランプ４ａ〜４ｅを起動し、容器Ｂ１〜Ｂ６を殺菌する。
（６）容器Ｂ１〜Ｂ６からの送気を開始する。具体的には、バルブを開とすることによって、ガス消費設備に送気される。
（７）以上の操作によって、所望のガスを送気するとともに、所定時間後に容器Ｂ１〜Ｂ６の殺菌操作を完了し、次の殺菌操作に備える。
【００４７】
〔容器Ｂ１〜Ｂ６の交換〕
所定の使用期間の後、消費された容器Ｂ１〜Ｂ６のうちの何本かを交換する。
（８）容器Ｂ１〜Ｂ６からの送気を停止する。
（９）収納具３を閉状態にする。同時に接点６が作動し、換気が閉状態の場合には開状態に切換り、所定時間内部の換気が行われる。
（１０）換気完了後に、固定具２全体または、交換の対象となる容器Ｂｎに係る固定具２のみをスライドさせて引き出し、容器Ｂｎを交換品と置換える。
（１１）交換された容器Ｂｎについて、上記（２）〜（７）を繰返す。
以上の操作によって、本殺菌方法を利用するができ、殺菌された容器を搬出し、新たに搬入された容器を使用時に殺菌することができる。なお、運搬車においても同様の操作によって殺菌処理を行うことができることから、容器の搬入・搬出・輸送という全て操作において容器自体の汚染の防止を図るとともに、他への汚染の拡大を防止することができる。
【００４８】
＜本装置におけるランプの数量と配置について＞
本装置の基本は、紫外線による殺菌機能において、ランプからの紫外線を直接照射した場合に加え、鏡面反射回数を１回とし、他のいずれの容器にも交差しない紫外線が照射された場合をも利用する点にある。また、複数の容器を収容する本装置においては、容器の全周面にこうした紫外線を照射させるには、実存の容器とランプ、および鏡面によって形成される仮想の容器と仮想のランプの配置関係を規定する点にある。
【００４９】
本装置は、ランプからの直接的な照射だけではなく、収納具の内面の鏡面反射による間接的にも照射することができる構成によって、容器全体を確実に紫外線照射することを特徴とするとともに、容器の数量に対応したランプの数量および最適配置の検討した結果、収納具の４つの内側面が交互に直交するとともに、
前記紫外線照射手段と特定のガス充填容器との平面配置関係において、
（ａ）近接するする２つの紫外線照射手段を結ぶ直線、
（ｂ）特定の紫外線照射手段と、これに近接する鏡面によって形成される仮想の紫外線照射手段を結ぶ直線、
（ｃ）前記交線とこれに近接する紫外線照射手段を該交線と直交するように結ぶ直線、
（ｄ）特定の紫外線照射手段と、前記ガス充填容器の外周によって形成される接線、
のいずれかであって、かついずれのガス充填容器あるいは鏡面によって形成される仮想のガス充填容器にも交差しない直線または接線、によって形成された閉空間の内部に、前記ガス充填容器が配設されることが好ましいことを見出した。以下、その検証内容を説明するとともに、〔実施例〕においてその確認実験の結果を説明する。
【００５０】
〔適正なランプ数量と配置の検証〕
容器の全周を照射するために必要なランプの数量と配置を、まず、１つの容器について検証し、次に複数の容器を配設した場合について検証した。ここでは、検証の簡便を図るために、ランプの大きさは無視することとした。
【００５１】
（１）１つの容器に対して鏡面を利用しない場合
（１ａ）２つのランプ４ａ，４ｂを用いた場合
図３（Ａ）に示すように、容器Ｂを中心に無限遠の相対する位置にランプ４ａ，４ｂを配置する必要がある。従って採用することはできない。
（１ｂ）３つのランプ４ａ〜４ｃを用いた場合
図３（Ｂ）に示すように、隣接するランプ同士を結ぶ直線が容器Ｂの外周に対して接線を形成し、その接線同士の交角αが６０°より小さい角度になる位置にランプ４ａ〜４ｃを配置する必要がある。占有面積は、ランプ４ａ〜４ｃが正三角形の頂点に位置する場合で、交角αが６０°のとき最小となる。このとき、ランプ４ａ〜４ｃをこの頂点から容器Ｂの中心Ｃに対し等しく矢印方向に離れる位置に配設すると、交角が６０°以下となる接線において紫外線の照射が可能となる。以下、同様の考え方が適用できるので、最小となる場合について言及する。
（１ｃ）４つのランプ４ａ〜４ｄを用いた場合
図３（Ｃ）に示すように、容器Ｂの外周との接線と接線の交角αが９０°より小さい角度になる位置にランプ４ａ〜４ｄを配置する必要があり、占有面積は、ランプ４ａ〜４ｄが正方形の頂点に位置する場合で、交角αが９０°のとき最小となる。
（１ｄ）ｎ個（５つ以上）のランプ４ａ，４ｂ・・４ｎを用いた場合
以上の結果から、容器Ｂの外周との接線と接線の交角αが［３６０／ｎ］°より小さい角度になる位置にランプ４ａ〜４ｎを配置する必要があり、占有面積は、ランプ４ａ〜４ｎが正ｎ角形の頂点に位置する場合で、交角αが［３６０／ｎ］°のとき最小となる。
（１ｅ）以上から、鏡面を利用しない場合には、ランプの数量を３つとし、容器の接線を各辺とする正三角形の頂点にランプを配置することによって、効率的な照射を行うことができる。
【００５２】
（２）１つの容器に対して鏡面を利用した場合
（２ａ）収納具の１つの内側面を鏡面Ｍ（平面鏡）として利用した場合
基本的には、上記（１ｂ）において得られた３つのランプ４ａ〜４ｃの配置を基に、検証することができる。具体的には、図３（Ｄ）に示すように、鏡面Ｍの位置を、鏡面Ｍに平行な容器Ｂにおける接線と正三角形の１つの仮想の頂点４ａ’との中間に、配置することによって、最短で容器Ｂの全周を照射することができる。つまり、２つの実在のランプ４ｂ，４ｃからの紫外線が鏡面を介して１つの仮想のランプ４ａ’を形成し、これらの３つの頂点４ａ〜４ｃ’によって正三角形を形成することによって、上記（１ｂ）と同一の条件を作り出すことができる。実際の紫外線は、鏡面反射して容器Ｂの外周の４ａ”に集光する。従って、ランプの数量を２つとし、容器Ｂの接線を各辺とする正三角形の頂点に配置することによって、効率的な照射を行うことができる。
（２ｂ）収納具３の内側面が直交する鏡面Ｍ１，Ｍ２を利用した場合
基本的には、上記（２ａ）と同様、図３（Ｅ）に示すように、正三角形の１つの仮想の頂点４ａを、鏡面Ｍ１とＭ２の交線Ｐとすることによって、上記（１ｂ）と同一の条件を作り出すことができる。つまり、２つの実在のランプ４ｂ，４ｃから交線Ｐに照射された紫外線は重複して、交線Ｐにおいて、これを頂点とする９０°の開口角を有する１つの仮想のランプ４ａ’を形成し、これらの３つのランプ４ａ〜４ｃからなる頂点によって正三角形が形成される。従って、ランプの数量を２つ以上とし、交線Ｐからの容器の接線を２辺とする正三角形の頂点にランプを配置することによって、効率的な照射を行うことができる。
【００５３】
（３）２つ以上の容器Ｂ１に対して鏡面を利用しない場合
基本的には、上記（１ｂ）において得られた３つのランプの配置を基に、検証することができる。具体的には、図３（Ｆ）に示すように、上記（１ｂ）の構成を、これを垂直方向に反転した構成と重ね合せることによって形成することができる。このとき、容器Ｂ１についてランプ４ａ〜４ｃによって正三角形が形成され、容器Ｂ２についてランプ４ｂ〜４ｄによって正三角形が形成され、容器Ｂ３についてランプ４ｃ〜４ｅによって正三角形が形成される。従って、ランプの数量を５つとし、容器Ｂ１〜Ｂ３の接線を各辺とする正三角形の頂点に配置することによって、効率的な照射を行うことができる。
【００５４】
（４）２つ以上の容器に対して鏡面を利用した場合
（４ａ）鏡面Ｍ（平面鏡）として利用した場合
基本的には、上記（１ｂ）において得られた３つのランプ４ａ’〜４ｃの配置を基に、検証することができる。具体的には、図３（Ｇ）に示すように、上記（１ｂ）の構成を、これを水平方向に反転した構成と重ね合せることによって形成することができる。このとき、容器Ｂ１についてランプ４ａ’〜４ｃによって正三角形が形成され、容器Ｂ２についてランプ４ｃ〜４ｅ’によって正三角形が形成される。従って、ランプの数量を３つとし、容器Ｂ１，Ｂ２の接線を各辺とする正三角形の頂点に配置することによって、効率的な照射を行うことができる。
（４ｂ）直交する鏡面を利用した場合
図３（Ｈ）に示すように、基本的には、上記（２ｂ）の構成を、これを水平方向に反転した構成と重ね合せることによって形成することができる。このとき、容器Ｂ１について交線Ｐ１、ランプ４ｂ，４ｃによって正三角形が形成され、容器Ｂ２について交線Ｐ２、ランプ４ｃ，４ｄによって正三角形が形成される。従って、ランプの数量を３つ以上とし、交線Ｐ１，Ｐ２からの容器の接線を２辺とする正三角形の頂点あるいは頂点よりも容器の中心に対し等しく離れる位置にランプを配置することによって、効率的な照射を行うことができる。
【００５５】
（５）２つ以上の容器を収納した場合
（５ａ）最密充填式に２つ以上の容器を配置した場合
図３（Ｊ）に示すように、基本的には、交線Ｐ１〜Ｐ４に近接する容器Ｂ１〜Ｂ４については、上記（２ｂ）の構成を、これを水平方向または垂直方向に反転あるいは１８０°回転した構成と重ね合せることによって形成することができる。鏡面Ｍ２，Ｍ４に近接する容器Ｂ５，Ｂ６については、上記（１ｂ）の構成と、これを垂直方向に反転した構成とを利用することによって形成することができる。容器Ｂ７，Ｂ８については、上記（１ｃ）の構成を利用することによって形成することができる。このとき、隣接する容器同士でランプを共有することによって、容器Ｂ１〜Ｂ８について、ランプの数量を７つ配置することによって、陰を作ることなく紫外線を容器Ｂ１〜Ｂ８全体に照射可能となる。ここで、陰とは、紫外線が全く照射されない部分、鏡面反射が２回以上で照射される部分、容器等によって反射されて照射される等照射が弱い場合をいう。
（５ｂ）縦列式に２つ以上の容器を配置した場合
図３（Ｋ）に示すように、鏡面Ｍ１〜Ｍ４に近接する容器Ｂ１〜Ｂ６を基本とし、上記（２ａ）の構成と、これを垂直方向に反転あるいは９０°と２７０°回転した構成とを利用することによって形成することができる。交線Ｐ１〜Ｐ４に近接する容器Ｂ７〜Ｂ１０については、上記（１ｂ）の構成を、４５°，１３５°２２５°あるいは３１５°回転した構成と重ね合せることによって形成することができる。容器Ｂ１１，Ｂ１２については、上記（１ｃ）の構成を利用することによって形成することができる。このとき、隣接する容器同士でランプを共有することによって（ランプ４ｓ〜４ｚは共有なし）、容器Ｂ１〜Ｂ１２について、ランプの数量を１０つ配置することによって、陰を作ることなく紫外線を容器Ｂ１〜Ｂ１２全体に照射可能となる。
【００５６】
以上のように、近接する２つのランプを結ぶ直線、あるいは特定のランプとこれに近接する鏡面によって形成される仮想のランプを結ぶ直線であって、かついずれの容器あるいは鏡面によって形成される仮想の容器にも交差しない直線によって、被照射体となる容器が囲まれることによって、多くとも１回の鏡面反射された紫外線を含む紫外線を、該容器の全周面に照射させることができる。こうした殺菌機能を確保した状態で、鏡面の反射機能を有効に活かすことによって、最小数量のランプを用いて優れた容器の殺菌装置を構成することができる。
【実施例】
【００５７】
上記の検証結果について、実際に容器外周表面におけるＵＶ光量を測定し、実装条件で評価した。
（１）実験方法
（１−１）実験装置
図４（Ａ）に示すような、容量３．４Ｌの５つの容器Ｂ１〜Ｂ５が収納され、４つのランプ４ａ〜４ｄが設置された殺菌装置を用いて実験した。ＵＶランプは、外径３２．５ｍｍ、長さ５８０ｍｍ、出力７．５Ｗの低圧水銀ランプ（東芝社製、ＧＬ２０形）を用いた。
（１−２）ＵＶ光量の測定
テストは、容器外面に紫外線の照射量によって色が変化するＵＶラベル（日油技研工業社製、商品名「紫外線インジケータ」）を貼付し、照射箱にセットした後、時間による変色状態を確認した。測定位置は、図４（Ｂ）に示すように、容器上部の口金部Ｂａ、上側部Ｂｂ、中側部Ｂｃ、下側部Ｂｄおよび底部Ｂｅとした。側部Ｂｂ〜Ｂｄは、図４（Ｂ）に示すように、容器の周方向を均等割した位置Ｒａ〜Ｒｄについて測定した。
（２）評価のポイント
図４（Ａ）に示すように、実験装置（紫外線照射箱）における、容器表面への紫外線照射量は照射箱の反射を利用した照射となる、各コーナーにおける容器位置（Ｒｂ）が最も少なくなる。この部分においても、滅菌に十分な照射量を得る時間を確認するためにテストを行った。
（３）実験結果
結果を図５に示す。照射量が多いほどＵＶラベルが濃く変色する。照射量の確認まで約５分程度必要であったが、照射量が少ない点ＲｂおよびＲｄにおいても十分な照射がされていることを確認することができた。また、照射量が最も少ない底部Ｂｅについても、５〜１０分程度の照射時間において十分な照射量に達することを確証することができた。
【産業上の利用可能性】
【００５８】
上記においては、主として医療機関で用いられるガス充填容器の殺菌装置およびその殺菌方法について述べたが、本発明は、技術分野に限られず、ガス充填容器に充填されたガス成分あるいはそれが空気中で反応して生じる生成物などが紫外線照射によって分解可能な成分であって、そのガス充填容器に付着して、その容器そのもの、あるいはそれを操作する者を汚染すること、さらには他の容器や機器を汚染することを防止する場合などに適用することができる。例えば、半導体プロセス等に用いる腐食性のある液化ガスで塩素含有化合物あるいはフッ素含有化合物などを挙げることができる。
【図面の簡単な説明】
【００５９】
【図１】本発明に係るガス充填容器の殺菌装置を例示する概略図
【図２】本発明に係るガス充填容器の殺菌装置の他の形態を例示する説明図
【図３】適正なランプ数量と配置の検証内容を例示する説明図
【図４】実施例における本装置の実験条件を例示する説明図
【図５】実施例における本装置の実験結果を例示する説明図
【図６】従来技術に係るボンベ消毒機能付充填装置を例示する概略図
【符号の説明】
【００６０】
２    固定具（固定手段）
２ａ  底部
２ｂ  下側部ガイド
２ｃ  中側部ガイド
２ｄ  上側部ガイド
３    収納具（収納手段）
３ａ〜３ｄ  側面
３ｅ  底面
３ｆ  上面
３ｇ  キャスター
４ａ〜４ｆ，４ｓ〜４ｚ  ランプ（紫外線ランプ，紫外線照射手段）
５    浄化ユニット
６    接点
Ｂ，Ｂ１〜Ｂ１５  容器（ガス充填容器）
Ｂ１ａ〜Ｂ５ａ  頭頂部
【図１】
2009058008.tif 000004
【図２】
2009058008.tif 000005
【図３】
2009058008.tif 000006
【図４】
2009058008.tif 000007
【図５】
2009058008.tif 000008
【図６】
2009058008.tif 000009